(57)【要約】【課題】低コストで取り扱いが容易な移動農機におけるトップリンク支持部を提供することを課題としている。【解決手段】移動農機１の後方に連結される作業機２の上方側を連結支持するトップリンク１３が取り付けられ、移動農機１の後方に、機体側のブラケット１７を介して位置決めされて取り付けられるトップリンク支持部１６を、前端側のブラケット１７への取付部２６と、後端側のトップリンク１３を軸支する開口した支持部２７と、取付部２６と支持部２７とを連結する連結部２８とを一体的に成形した。【選択図】          図３
2004254531.tif 000002
【特許請求の範囲】
【請求項１】
移動農機（１）の後方に、作業機（２）の上方側を連結支持するトップリンク（１３）が取り付けられるトップリンク支持部（１６）を設け、該トップリンク支持部（１６）が、移動農機（１）の機体側のブラケット（１７）に位置決めされて取り付けられるものにおいて、上記トップリンク支持部（１６）が、前端側のブラケット（１７）への取付部（２６）と、後端側のトップリンク（１３）を軸支する開口した支持部（２７）と、取付部（２６）と支持部（２７）とを連結する連結部（２８）とからなり、取付部（２６）と支持部（２７）と連結部（２８）とを一体的に成形した移動農機におけるトップリンク支持部。
【請求項２】
連結部（２８）の側面視中央部分に孔（３４）を設けた請求項１の移動農機におけるトップリンク支持部。
【請求項３】
孔（３４）の周縁にリブ（３６）を設けた請求項２の移動農機におけるトップリンク支持部。
【請求項４】
孔（３４）の前端部分にブラケット（１７）に対するトップリンク支持部（１６）の位置決めを行う位置決め部（３７）を設けた請求項１又は２の移動農機におけるトップリンク支持部。
【発明の詳細な説明】
【０００１】
【発明の属する技術分野】
この発明は、トラクタ等の移動農機において、ロータリ作業機等の作業機を連結する昇降リンクを構成するトップリンクを支持するトップリンク支持部に関する。
【０００２】
【従来の技術】
従来移動農機であるトラクタの後方に、作業機の上方側を連結支持するトップリンクが取り付けられるトップリンク支持部（トップリンクサポート１１）を設けたものが公知となっている（例えば特許文献１参照）。
【０００３】
【特許文献１】
特開２００１−１１２３０６号公報  （第２図）
【０００４】
【発明が解決しようとする課題】
しかし上記トップリンク支持部（トップリンクサポート１１）は、複数のプレート状の部品を溶接等により接合して構成した構造となっており、加工工数が多くコスト高であるという問題点があった。またトップリンク支持部をトラクタ側に位置決めする位置決め機構が、トップリンク支持部を構成する左右板の間に設けられており、上記位置決め操作が困難であるという問題点もあった。
【０００５】
【課題を解決するための手段】
上記課題を解決するための本発明の移動農機におけるトップリンク支持部は、移動農機１の後方に、作業機２の上方側を連結支持するトップリンク１３が取り付けられるトップリンク支持部１６を設け、該トップリンク支持部１６が、移動農機１の機体側のブラケット１７に位置決めされて取り付けられるものにおいて、上記トップリンク支持部１６が、前端側のブラケット１７への取付部２６と、後端側のトップリンク１３を軸支する開口した支持部２７と、取付部２６と支持部２７とを連結する連結部２８とからなり、取付部２６と支持部２７と連結部２８とを一体的に成形したことを第１の特徴としている。
【０００６】
第２に連結部２８の側面視中央部分に孔３４を設けたことを特徴としている。
【０００７】
第３に孔３４の周縁にリブ３６を設けたことを特徴としている。
【０００８】
第４に孔３４の前端部分にブラケット１７に対するトップリンク支持部１６の位置決めを行う位置決め部３７を設けたことを特徴としている。
【０００９】
【発明の実施の形態】
図１は、移動農機であるトラクタ１と圃場の耕耘を行う作業機であるロータリ作業機２との連結状態を示す側面図であり、上記ロータリ作業機２は、従来同様トラクタ１側の連結リンク機構３に、自動連結部４を介して昇降自在に連結されている。
【００１０】
なお上記自動連結部４は、ロータリ作業機２の上方側の連結軸６に係合可能な凹部７ａを備える上方側のフック７と、ロータリ作業機２の下方側の連結部１１が係止される下方側の係合部９とを備えており、トラクタ１を後進させて、ロータリ作業機２の上方側の連結軸６に上記フック７を係合させ、その後更にトラクタ１を後進させることによって、下方側の係合部９に、ロータリ作業機２の下方側の連結部１１が自動的に係合され、トラクタ１にロータリ作業機２をワンタッチで連結する従来公知のものである。
【００１１】
一方上記連結リンク機構３は、下方のロアリンク１２と上方のトップリンク１３とを備え、両リンク１２，１３の後端側に上記自動連結部４が装着される。上記ロアリンク１２は、トラクタ１のミッションケース１４に上下揺動自在に支持されて後方に突出しており、左右に設けられている。また上記トップリンク１３は、ミッションケース１４側に取り付けられたトップリンク支持部１６に上下揺動自在に支持されており、左右のロアリンク１２の間の上方位置に設けられている。
【００１２】
このとき上記トップリンク支持部１６は、ミッションケース１４側に固定されるトップリンクブラケット１７を介して前端側がミッションケース１４に固定され、後端側においてトップリンク１３の先端側を回動自在に軸支している。
【００１３】
またトップリンクブラケット１７は、図１，図２に示されるように、プレート状のベース板１８と、該ベース板１８に固定され後方に突出し、所定の間隔を介して左右に設けられた支持板１９とからなり、両支持板１９の間にボルト２１を介してトップリンク支持部１６の前端側が取り付けられる。
【００１４】
そしてミッションケース１４の上部には、上下揺動駆動自在にリフトアーム２２が設けられており、該リフトアーム２２とロアリンク１２とがリフトロッド２３を介して連結されている。これによりリフトアーム２２を上下揺動駆動することによって、ロアリンク１２が上下揺動せしめられて自動連結部４が昇降され、ロータリ作業機２が昇降せしめられる。
【００１５】
次に上記トップリンク支持部１６の構造を詳細に説明する。図２，図３に示されるように、トップリンク支持部１６は、トップリンクブラケット１７側に取り付けられる取付部２６と、トップリンク１３を支持する支持部２７と、取付部２６と支持部２７とを連結する連結部２８とから構成されており、取付部２６，支持部２７，連結部２８が一体成形されている。
【００１６】
上記取付部２６は、トップリンク支持部１６の前端側に構成され、トップリンクブラケット１７の支持板１９の間に挿入される。また前記ボルト２１が挿通される左右方向のボス２９が上下に設けられており、該ボス２９には上記ボルト２１に対応するばか穴が穿設されている。
【００１７】
これにより取付部２６を左右の支持板１９の間に挿入し、一方の支持板１９の外側面からボルト２１を挿入して、ボス２１に挿通させ、他方の支持板１９の外側面から突出させ、この突出端にピン３１を取り付けて抜け止めすることによって、取付部２６がトップリンクブラケット１７に取り付けられる。
【００１８】
一方上記支持部２７は、後方が開口したＵ字状をなし、開口部分３２に支軸３３が軸支されている。そして該支軸３３にトップリンク１３の先端が回動自在に取り付けられており、以上のようにトップリンク１３を上下揺動自在に支持している。
【００１９】
さらに上記連結部２８は、Ｉ字状の断面をなしており、取付部２６及び支持部２７と一体成形されることにより、取付部２６と支持部２７とを連結している。そして側面視における中央部分には、孔３４が穿設されており、軽量化が図られている。なお上記構成により孔３４の周縁は一続きのリブ３６をなし、連結部２８（トップリンク支持部１６）の強度が維持されている。
【００２０】
また孔３４の前端縁（前方側のリブ３６の端部）には、前方に向かって位置決めボルト３７が取り付けられており、該位置決めボルト３７の先端はトップリンク支持部１６の先端（取付部２６の先端）から突出している。
【００２１】
そしてトップリンク支持部１６がトップリンクブラケット１７に上記のように取り付けられた状態で、位置決めボルト３７を締め込むことにより、位置決めボルト３７の先端をトップリンクブラケット１７の支持板１８側に当接させることができる。
【００２２】
これによりトップリンク支持部１６をトップリンクブラケット１７に取り付けた状態で、位置決めボルト３７を締め込んでいくと、ばか穴と前記ボルト２１との嵌合誤差によって、ばか穴の前方部分とボルト２１とが当接するようにトップリンク支持部１７が後方に移動し、トップリンク支持部１６は、位置決めボルト３７によって、ばか穴の前方部分とボルト２１との当接状態でトップリンクブラケット１７に位置決めされる。
【００２３】
すなわち位置決めボルト３７が位置決め部となり、トップリンクブラケット１７に対するトップリンク支持部１６の位置決めを行い、トップリンク支持部１６をトラクタ１側に位置決めする。
【００２４】
以上のようなトップリンク支持部１６の一体成形により、トップリンク支持部１６のコストダウンを図ることができる他、トップリンク支持部１６が１パーツからなるため、トップリンク支持部１６を単体として容易に取り扱うことができ、トップリンク支持部１６のトップリンクブラケット１７への組み付け等を容易に行うことができる。
【００２５】
また位置決め部を、トップリンク支持部１６をトップリンクブラケット１７に対して一方向に押し付ける位置決めボルト３７によって構成することにより、位置決め部を簡単に構成することができる他、位置決め部がコンパクトとなり、孔３４内に容易に設けることができる。そして孔３４によって位置決めボルト３７の締緩作業を、側方から容易に行うことができ、位置決め作業を容易に行うことができる。
【００２６】
【発明の効果】
以上のように構成される本発明の構造によると、トップリンク支持部が一体成形されるため、トップリンク支持部のコストダウンを図ることができる他、トップリンク支持部が１パーツからなるため、ブラケットへの組み付けが容易となり、且つトップリンク支持部を単体として容易に取り扱うことができるという効果がある。
【００２７】
また連結部の側面視中央部分に孔を設けることにより、トップリンク支持部を軽量化することができ、さらに孔の周縁にリブを設けることにより、孔を設けてもトップリンク支持部の強度を維持することができるという効果がある。
【００２８】
そして上記のように連結部に孔を設けることにより、該孔を利用してトップリンク支持部のブラケット（移動農機）に対する位置決めを行う位置決め部を設けることができ、例えばトップリンク支持部をブラケットに対して一方向に押し付けるようなボルトを位置決め部とし、該ボルトを孔内に設けると、該孔によりボルトを容易に設けることができるとともに、ボルトの操作が容易となり、位置決め作業を容易に行うことができるという利点がある。
【図面の簡単な説明】
【図１】トラクタとロータリ作業機との連結状態を示す側面図である。
【図２】トラクタとロータリ作業機との連結状態を示す要部平面図である。
【図３】連結リンク機構の要部斜視図である。
【符号の説明】
１      トラクタ（移動農機）
２      ロータリ作業機（作業機）
１３    トップリンク
１６    トップリンク支持部
１７    トップリンクブラケット（ブラケット）
２６    取付部
２７    支持部
２８    連結部
３４    孔
３６    リブ
３７    位置決めボルト（位置決め部）
【図１】
2004254531.tif 000003
【図２】
2004254531.tif 000004
【図３】
2004254531.tif 000005